(57)【要約】それは目的の受信者に配信される前に、削除またはモバイル デバイス上の不要なメッセージの携帯電話のソフトウェア アプリケーションを使用する方法が提供されます。 ソフトウェア アプリケーションは、モバイル デバイスに常駐のメッセージング アプリケーションの上に実行することによって動作します。 たとえば、アプリケーションは、指定された時間量のため、メッセージをキャッシュし、それにより遅延の長さを設定します。 ユーザーがモバイル デバイスのアプリケーションを持っている OST のアプリケーションにメッセージを構成およびアプリケーション ソフトウェアは、ユーザーがメッセージを送信する、後悔削除またはメッセージは、モバイル デバイスを離れる前にリコールすることができますが、メッセージを送信するユーザーを選択した後、所定量のバッファー内のメッセージを保持します。 本開示から理解される他の利点はさらに明白であります。
2017513104.tif 000002
【特許請求の範囲】
【請求項１】
インタラクティブなモバイル ソフトウェアのアプリケーション構成を使用して、個人のモバイル ワイヤレス デバイスのメッセージ通信管理のためのメソッド:
個人のモバイル ワイヤレス デバイスでインタラクティブなモバイル ソフトウェア アプリケーションの実装、前記アプリケーション実装プロセスを構成します。
入力し、メッセージを送信デバイスの対話型のユーザー インターフェイスを提供します。と
メッセージを入力し、入力したメッセージを送信するユーザーに対し、リコールまたは通信ネットワーク経由で送信される前にメッセージを削除するユーザーを許可時間の一定期間の個人のモバイル ワイヤレス デバイスと通信ネットワーク上を送信されてから入力したメッセージを保持しています。  
【請求項２】
前記携帯電話のソフトウェア アプリケーションは携帯電話のソフトウェア アプリケーションを受信し、メッセージを送信するメッセージ通信アプリケーションにインストールされている、請求項 1 の方法。
【請求項３】
個々のユーザー リコールまたは夜間外出禁止令の設定を選択することができるクレーム 1 実装するインタラクティブなユーザーの基本設定の方法。
【請求項４】
さらに夜間外出禁止令の設定がロケーターのロケーターに警告ユーザー場合、ロケーターの通知は、門限の設定を有効にするユーザーに通知を送信するために携帯電話のソフトウェア アプリケーションを構成する前記の方法は前記ロケーターは GPS または他のソースから位置情報を受け取る場所で時間の所定量以上費やしています。
【請求項５】
SMS と MMS のモバイル ワイヤレス デバイスのメッセージングを管理するために特にインタラクティブなモバイル ソフトウェア アプリケーションを実装する前記請求項基づく方法。
【請求項６】
請求項 1 に前記インタラクティブなモバイル ソフトウェア アプリケーションがユーザーによってインストールされているアプリケーションとインストールは、対話型の携帯電話のソフトウェア アプリケーション メッセージングおよび返信既存 SMS/MMS メッセージング アプリケーションの既定のアプリケーションに基づく法。
【請求項７】
インタラクティブなモバイル ソフトウェア アプリケーションがバッファーに送信する前にメッセージを保持する前記請求項 1 に基づく方法。
【請求項８】
請求項 1 にインタラクティブなモバイル ソフトウェア アプリケーションでユーザーにウィンドウでメッセージを表示前記が送信された場合がそれを表示する指定の手法が開催されています。
【請求項９】
構成する個人のモバイル ワイヤレス デバイスのメッセージ通信管理のためのシステム:
無線端末を入力し、メッセージを送信するためのインタラクティブなユーザインタ フェースを構成するアプリケーション、ワイヤレス モバイル デバイスにインストールされている携帯電話のソフトウェア アプリケーションと
呼び戻し、または通信ネットワーク経由で送信される前にメッセージを削除するユーザーを許可時間の一定期間の通信ネットワーク、モバイル ワイヤレス デバイスから送信されるから入力したメッセージを保持しているユーザー、メッセージを入力して、入力したメッセージを送信する応答内のバッファー。
【請求項１０】
メッセージ遅延プロセスを実行するコンピューターを引き起こしているアプリケーションを格納する一時的でないコンピューター読み取り可能な媒体、プロセスを構成するメッセージの遅延時間します。
個人携帯無線デバイスにインストールされているインタラクティブなモバイル ソフトウェア アプリケーションから入力したメッセージを受信と
入力したメッセージを送信するユーザーに対し、リコールまたは通信ネットワーク経由で送信される前にメッセージを削除するユーザーを許可時間の一定期間の個人のモバイル ワイヤレス デバイスと通信ネットワーク上を送信されてから入力したメッセージを保持しています。
【請求項１１】
11 を含む個人のモバイル ワイヤレス デバイスのメッセージ通信の管理システム:
前記別チャット プラットフォームから収集した連絡先を含む統合された連絡先を構成するアプリケーション、時間の所定量設定人のモバイル ワイヤレス デバイスのユーザーが携帯電話のソフトウェア アプリケーションで送信されたメッセージを遅延する、削除または時間の所定量の間に送信されたメッセージをリコールする個人的な無線モバイル デバイス上のモバイル ソフトウェア アプリケーション、、送信されたメッセージを遅延して時間の別の所定量が過ぎると受信者に送信されたメッセージの配信を確認するためにユーザーによって設定された時間の別の所定量。
【発明の詳細な説明】
【技術分野】
【０００１】
本発明の実施形態は、SMS およびMMS のモバイル デバイスで使用などワイヤレス メッセージング アプリケーションのメソッドに、ユーザーが削除を開始またはそれが最終的に目的の受信者に配信される前に、不要なメッセージのコマンドを呼び出すことができるメソッドの詳細は、特に一般的に関連します。
【背景技術】
【０００２】
ショート メッセージ サービス (SMS) はモバイル通信システムで通常使用される標準化された通信サービスですが、非モバイル通信機器にも使えます。標準化された通信プロトコルを使用して、SMS を通信デバイス間で短いテキスト メッセージの交換に使用します。 SMS のテキスト メッセージは地球上最も広く使用されるデータ アプリケーション 24 億のアクティブ ユーザー、または通信デバイスにテキスト メッセージを送受信するすべての携帯電話加入者数の 74% となりました。
基本的な SMS サービスに導入された拡張機能のいくつかの別の例としてマルチ メディア  メッセージング サービス (MMS) は、電気通信マルチ メディア オブジェクト (イメージ、オーディオ、ビデオ、リッチ テキスト) を含む SMS メッセージを送信するための標準です。 MMS は SMS 標準の拡張メッセージ長を可能にします。 また、MMS は、コンテンツを表示するように、ワイヤレス アプリケーション プロトコル (WAP) を利用できます。また同様に着メロを配信する方法として人気ですが、MMS の最も普及した使用はカメラ付き携帯電話から写真を送信することで発見されます。
米国の半分以上モバイル消費者など i-携帯電話やスマート フォンなどのモバイル機器を所有しているモバイル デバイス上のメディアの豊富な技術の登場により有効にこのようなデバイスのユーザーに解放感まだこのようなユーザー固有の問題に直面し続けています。
【０００３】
研究は、18-24 歳のスマート フォン ユーザーは平均 2,002 のテキスト メッセージを送信し、月額追加 1,831 のテキスト メッセージを受信を示しています。 テキスト ベースのコミュニケーションなどの例、テキスト メッセージ、電子メール、インスタント メッセージング、テキスト ベースのソーシャル メディア (例: FacebookTM) やマイクロブログ (例えばTwitterTM) となっているソーシャル メディアの進歩と人間の相互作用のますます普及した形態。 
【０００４】
これら今までメディア技術の進化は、人間の相互作用とコミュニケーションを増加している、しかし、彼らは固有欠点も欠点は来ていません。 人が大量の誤字や間違いなどがあるかもしれませんかメッセージを送信する多くの場合または彼らは理由の 1 つの後で後悔または別のメッセージを食わせることがリコールできるか何とか削除します。 現在それが送信された後にだけ、それが受信者に配信される前に作成されたメッセージを元に戻すユーザーをことができます市場での携帯電話のソフトウェア アプリケーションは存在しません。 そのため、この役割を満たすことができますモバイル デバイスにインストールされているソフトウェア アプリケーションの先行技術に必要があります。 好ましくは、モバイル デバイスにインストールされている携帯電話のソフトウェア アプリケーションは、削除、または、メッセージが目的の受信者に配信される前に、不要なメッセージをリコールすることができるでしょう。  
【０００５】
したがって、上記の観点から存在の欠如とシームレスな削除を許可する携帯電話のソフトウェア アプリケーションの実装または残念、不要なメッセージを目的の受信者に届くを思い出してはまだそのようなソフトウェアのモバイル アプリケーションの先行技術に満たされていない必要性。 その、発明の本開示実施例はこのようなソリューションを提供し、本開示から理解される他の利点を提供します。
【発明の概要】
【０００６】
本発明の好ましい実施形態は、削除または、メッセージが目的の受信者に配信される前に、モバイル デバイス上の不要なマルチ メディア メッセージング サービス (MMS)、ショート メッセージ サービス(SMS) メッセージを想起するため考え直し (OST) に関する権利、モバイル アプリケーションを使用する方法を提供します。 OST アプリケーションにモバイル デバイスに常駐メッセージング アプリケーションの上を実行して、動作します。 OST アプリケーションのユーザーは、彼または彼女は、メッセージを送信するための時間遅延に相当、0 から 60 秒の間は、通常ユーザーによって設定された時間の所定量の送信されたメッセージのキャッシュを選択できます。 遅延メッセージを送信したいユーザーのみが OST アプリケーションをモバイル デバイスにインストールする必要があり遅延メッセージの受信者は、韓国ドラマ OST アプリケーションの遅延メッセージの受信または遅延メッセージに応答するために自分のモバイル デバイスにインストールする必要はありません。 メッセージには居住者のメッセージング アプリケーションの構成は、OST アプリケーションは、ユーザーが OST アプリケーションで「送信」ボタンを押した後、所定量のバッファー内メッセージを保持。 この機能では、削除または彼または彼女を送ってあらかじめ決められた時間内で彼または彼女を後悔するメッセージを送信する場合メッセージをリコールすることができます。 好ましくは、送信をユーザーが選択すると、あらかじめ決められた期間、ユーザーが削除またはそれ以上のメッセージを取得できる唯一の時間編集です。 時間の所定量、中に、送信メッセージを取得し、メッセージを削除をスワイプします。 メッセージが送信されると、受信者に到達する前に、送信したメッセージが受信者または韓国ドラマ OST アプリケーションがインストールされているモバイル デバイスを出る前に送信される前に残り時間を示すタイマー会話画面に表示されます。 「送信」ボタンをクリックすると、韓国ドラマOST アプリケーションはも送信メッセージの保留中のステータスを示すでしょう。 あらかじめ決められた時間数は、一度送信したメッセージが受信者に配信され、OST アプリケーション配信保留中から送信されたメッセージの状態を変更します。 韓国ドラマ OST のアプリケーションに組み込まれているソフトウェア バッファーまたは韓国ドラマOST のアプリケーションで使用されているモバイル デバイスのメモリ バッファーがあります。 
【０００７】
本発明の好ましい実施の形態別に, OST アプリケーションは「晩鐘」機能をさらに持っています。 「晩鐘」機能では、時間中に送信したメッセージを輸出、その後輸出禁止メッセージ送信が配信ユーザー確認禁輸受信者にメッセージ送信を提供する場合にのみ別の所定量を設定することができます。 時間の別の所定量は時間の所定量を超える場合があります。
【０００８】
いくつかの実施形態でソフトウェア アプリケーション (モジュール、プラグイン、ツール、アプリ、等)、他の個々 のメッセージの (編集) を経由して作成を使用して、通信ネットワークまたはチャネルを介してメッセージを送信、表示するためのソフトウェア アプリケーションに通信ネットワークまたはチャネルを介してメッセージを受信と通信の実装されます。 ユーザー インターフェイスと通信の種類は、インターフェイスと通信のチャット型フォームをすることができます (例えば、後続のメッセージが会話を形成するメッセージ チェーンで目的地の情報と自動的に設定されます)。 アプリケーションを受け取り、(例えば、上、携帯電話にテキスト メッセージ ソフトウェア) メッセージを送信する実際のアプリケーションの上にオーバーレイすることができます。 またはそのアプリケーションに統合することができます。 ユーザー インターフェイスは、対話型のコマンド選択可能な現在のユーザーがユーザーのモバイル デバイスに入力したメッセージを送信するを含めることができます。 アプリケーションがモバイル デバイスで構成され、モバイル デバイスと関連するアプリケーションこのような適応送信オプション、アプリケーション (またはシステム) の選択に応答するからさらに検査のためのユーザーにメッセージの内容を表示している間、メッセージの特定の受信者に送信されるメッセージを一時的に保持します。 アプリケーションは、グラフィカル インジケーター (モバイル デバイスが通信ネットワークかチャネル メッセージを運ぶために効果的に接続される)、この一時保留のメッセージでは、ユーザーに通信などの指標も表示されます。 この間、アプリケーションはのみメッセージ (削除、一時中にメッセージを保持) を削除または、さらに編集するためのメッセージを取得するを選択するユーザー オプションを許可します。 必要な場合、他の限られた機能が可能もこの期間中に。 アプリケーションは、タイマーまたは前にメッセージの送信、配信、または意図した受信者に、一時保留に残っているはどのくらいの時間を視覚的に通信するカウント ダウン インジケーターも表示されます。 一時的な期間保持期間アプリケーション設定を通じてユーザーが指定することができますまたはアプリケーションのソフトウェアのプロバイダーによって指定された一定期間にすることができます。 モバイル デバイス上のアプリケーションが構成されているメッセージ自体を表示し、メッセージ (メッセージを含むメッセージ バブルなど) 適用メッセージに 1 つまたは複数のジェスチャーを適用するユーザーのための機能を提供することによってインタラクティブな一時の中に送信されたメッセージを操作を保持を削除または取得するために別の方向にスワイプ一方向にスワイプなど。 削除コマンドを選択すると、アプリケーション通信ネットワークまたは意図した受信者へのチャネル経由で送信される前に、「送信」メッセージがモバイル デバイスから削除します。 取得コマンドを選択すると、アプリケーションは一時保留からメッセージを取得し、メッセージの送信をブロックします。 また、ユーザーがさらに編集またはリビジョンのメッセージが表示されま。 
【０００９】
アプリケーションがインストールされていることを追加の層をすることができますモバイル デバイス上の通信ソフトウェアと統合します。 たとえば、アプリ app store から、それをインストールされている場合は、モバイル デバイスでテキスト メッセージのソフトウェアは、そうすることで既存のテキスト メッセージ アプリケーションをモバイル デバイスに実際にメッセージを送受信する使用する場合として行動できるようインストールでした。  
【００１０】
いくつかの実施形態では、必要な構成では、外部のサーバーまたはサービスにソフトウェアを一時的に保持することによってモバイル デバイスなどで外ソフトウェアを一時的に保持があります。 この実施例では、メッセージたとえばとするモバイル デバイスからサーバーに送信し、ユーザーに一時保留タイマーとホールドの視覚的なインジケーターを含むが表示されます ' モバイル デバイス検索または削除を許可します。 このバリエーションでアプリケーションは、削除またはサーバーから同様の方法で、メッセージを取得します。 
【００１１】
必要な場合、メッセージはユーザーが個人的なモバイル デバイスと通信の言葉、イメージ、または個人用連絡先へのビデオを使用して他の人に通信するパーソナル通信メッセージを使用できます。 メッセージは、個々 の宛先アドレスまたはグループに通常含まれます。 いくつかの実施形態で転送メッセージの転送が転送メッセージの特定の詳細に従い金融転送の操作の結果、個人間のお金を転送する通信など他の種類のパーソナル通信を適用できます。 (例えば、間違った人に指示された場合お金に行くだろう間違った人)。
【００１２】
一般的に記載されているここで、モバイル デバイス上で実装ソフトウェア相互作用を運ぶまたはデバイス上またはデバイス上のソフトウェアの実装と可能性のあるその他のソフトウェアの使用の結果として本明細書に記載されている関連のハードウェアを処理します。
【００１３】
本発明の一実施形態に従って対話型の携帯電話のソフトウェア アプリケーションを使用して個人のモバイル ワイヤレス デバイスのメッセージ通信の管理方法を説明します。      
【００１４】
メソッドは、前記アプリケーション実装プロセスを構成する個人的な無線モバイル デバイスでインタラクティブなモバイル ソフトウェア アプリケーションの実装構成: 対話型のユーザー インターフェイスを提供するデバイス上を入力し、メッセージを送信メッセージを入力し、入力したメッセージを送信するユーザーに対し、リコールまたは通信ネットワーク経由で送信される前にメッセージを削除するユーザーを許可時間の一定期間の個人のモバイル ワイヤレス デバイスと通信ネットワーク上を送信されてから入力されたメッセージを保持します。  
【００１５】
一実施形態では、携帯電話のソフトウェア アプリケーションを受け取り、メッセージを送信するメッセージ通信アプリケーションにインストールされている携帯電話のソフトウェア アプリケーションです。
一実施形態では、方法は更には、リコールまたは夜間外出禁止令の設定選択する個々 のユーザーを可能にするインタラクティブなユーザーの基本設定を実装する装備されています。
【００１６】
一実施形態でさらに夜間外出禁止令の設定で構成されて、門限設定にロケーターがロケーター通知ユーザーがロケーターが GPS または他のソースから位置情報を受信する前記の場所に時間の所定量以上使用した場合、門限の設定を有効にするユーザーに通知を送信するために携帯電話のソフトウェア アプリケーションを警告するロケーターが装備されています。
【００１７】
一実施形態では、さらには、SMS および MMS のモバイル ワイヤレス デバイスのメッセージングを管理するインタラクティブなモバイル ソフトウェア アプリケーションを実装します。
【００１８】
一実施形態でインタラクティブなモバイル ソフトウェア アプリケーションがユーザーによってインストールされているアプリケーションとインストールは、対話型の携帯電話のソフトウェア アプリケーション メッセージングおよび返信既存の SMS/MMS メッセージング アプリケーションの既定のアプリケーション。
【００１９】
一実施形態では、インタラクティブなモバイル ソフトウェア アプリケーションは、バッファーに送信する前にメッセージを保持します。
【００２０】
一実施形態でインタラクティブなモバイル ソフトウェア アプリケーションが送信された場合、しかし、それは戻って開催されてを指定のユーザーにウィンドウにメッセージを表示します。
【００２１】
本発明の別の実施形態に従って、個人のモバイル ワイヤレス デバイスのメッセージ通信管理のためのシステムを説明します。 システム構成無線端末を入力し、メッセージを送信するためのインタラクティブなユーザインタ フェースを構成するアプリケーション、ワイヤレス モバイル デバイスにインストールされている携帯電話のソフトウェア アプリケーションバッファー応答メッセージを入力し、入力したメッセージを送信するユーザーを呼び戻し、または通信ネットワーク経由で送信される前にメッセージを削除するユーザーを許可時間の一定期間の通信ネットワーク、モバイル ワイヤレス デバイスから送信されるから入力したメッセージを保持しています。
【００２２】
本発明の更に別の実施形態に従って、メッセージ遅延プロセスを実行するコンピューターを引き起こしているアプリケーションを格納する一時的でないコンピューター可読媒体を説明します。 メッセージ遅延処理施設は個人携帯無線デバイスにインストールされているインタラクティブなモバイル ソフトウェア アプリケーションから入力したメッセージを受信入力したメッセージを送信するユーザーに対し、リコールまたは通信ネットワーク経由で送信される前にメッセージを削除するユーザーを許可時間の一定期間の個人のモバイル ワイヤレス デバイスと通信ネットワーク上を送信されてから入力されたメッセージを保持します。
【００２３】
本発明の更に別の実施形態に従って個人のモバイル ワイヤレス デバイスのメッセージ通信管理のためのシステムを説明します。 前記別チャット プラットフォームから収集した連絡先を含む統合された連絡先を構成するアプリケーション、時間の所定量設定人のモバイル ワイヤレス デバイスのユーザーが携帯電話のソフトウェア アプリケーションで送信されたメッセージを遅延する、削除または時間の所定量の間に送信されたメッセージをリコールする個人的な無線モバイル デバイス上のモバイル ソフトウェア アプリケーション システムの構成します。、、送信されたメッセージを遅延して時間の別の所定量が過ぎると受信者に送信されたメッセージの配信を確認するためにユーザーによって設定された時間の別の所定量。
【００２４】
自然と本発明の様々 な利点は、次の詳細については、添付の図を参照のように、全体の部分のように参照してください文字と組み合わせて、撮影の考察時に明らかになります。
【図面の簡単な説明】
【００２５】
【図１】図1 は、モバイル デバイスで使用する OST アプリケーションの実施形態の模範的なスケマティック インターフェイス形式を示しています。
【図２Ａ】図 2 a および 2 b OST アプリケーションの受信者に配信する前にメッセージの削除の実施形態の模範的なスケマティック インターフェイス表現を表しています。
【図２Ｂ】図 2 a および 2 b OST アプリケーションの受信者に配信する前にメッセージの削除の実施形態の模範的なスケマティック インターフェイス表現を表しています。
【図３】図 3 は、受信者に配信する前にメッセージを想起 OST アプリケーションの実施形態の模範的なスケマティック インターフェイス表現を示しています。
【図４】図 4 は、韓国ドラマ OST アプリケーションの夜間外出禁止令機能の一実施形態を描いています。
【図５】図 5 は、韓国ドラマ OST アプリケーションの夜間外出禁止令機能の一実施形態を描いています。
【図６】図 6 は、モバイル デバイスの一実施形態を示しています。
【図７Ａ】図 7A-7 G には、韓国ドラマ OST のアプリケーション統合と異なるチャット プラットフォームからの連絡先と通信の一実施形態が描かれています。
【図７Ｂ】図 7A-7 G には、韓国ドラマ OST のアプリケーション統合と異なるチャット プラットフォームからの連絡先と通信の一実施形態が描かれています。
【図７Ｃ】図 7A-7 G には、韓国ドラマ OST のアプリケーション統合と異なるチャット プラットフォームからの連絡先と通信の一実施形態が描かれています。
【図７Ｄ】図 7A-7 G には、韓国ドラマ OST のアプリケーション統合と異なるチャット プラットフォームからの連絡先と通信の一実施形態が描かれています。
【図７Ｅ】図 7A-7 G には、韓国ドラマ OST のアプリケーション統合と異なるチャット プラットフォームからの連絡先と通信の一実施形態が描かれています。
【図７Ｆ】図 7A-7 G には、韓国ドラマ OST のアプリケーション統合と異なるチャット プラットフォームからの連絡先と通信の一実施形態が描かれています。
【図７Ｇ】図 7A-7 G には、韓国ドラマ OST のアプリケーション統合と異なるチャット プラットフォームからの連絡先と通信の一実施形態が描かれています。
【図８】図 8 は、グラデーションのカウンターやタイマーの両方のテキストと、メッセージの背景を越えて移動の一実施形態を示しています。
【発明を実施するための形態】
【００２６】
以下その詳細の説明がよりよく理解することができるようにと感謝してより良い芸術への貢献を存在するためむしろ広くインスタント発明の重要な機能になっているこの点が説明しました。
【００２７】
以下で説明する書類追加のクレームの主題を形作るインスタント発明の追加機能があります。
【００２８】
これに関連して、少なくとも詳しく、本発明の好ましい実施の形態を説明する前にそれは更に発明が応用建設の詳細と以下の説明又は追加の図に示されている部品の配置に制限はなく、理解します。 発明は、実践し、複数の異なる方法で実施の他の実施形態とが可能です。 またここで使用される用語は説明のために、制限要因と見なすことはできません。
【００２９】
予備的な問題としてそれが容易に理解される本発明は広いユーティリティとアプリケーションを関連する芸術における通常の知識を有するします。 他の実施形態は、本発明の完全かつ有効にする公表の例示に追加議論される可能性があります。また適応、変化、変更、同等措置など多くの実施形態記載態様によって暗黙的に開示は、本発明の範囲内します。
【００３０】
したがって、本発明は、1 つ以上の実施形態に関連して詳細に記載は、だこの開示は、本発明の模範的な分かり易くて本発明の完全かつ有効に情報開示を提供することの目的のためにだけ作られたと理解します。 1 つ以上の実施形態の本明細書詳細を開示目的ではない範囲はクレームと同等物によって定義される、本発明による特許保護の範囲を制限する解釈することはないです。 本発明に与えられる特許保護の範囲が請求に見つけた制限を読むことによって定義するものではありません記載明示的に表示されない要求自体で。
したがってたとえば任意のシーケンスおよび/または様々 なプロセスやここに記載されている方法のステップの時間順序が説明、制限として解釈されるべきではないです。
【００３１】
したがって、それは、様々 なプロセスや方法の手順を示すように、シーケンスまたは一時的な順序であると記述可能性があります、当該プロセスまたはメソッドの手順に限定されない任意の特定の順序または不在の表示それ以外の場合の順序で実施されて理解すべき。 確かに、このようなプロセスまたはメソッドの手順一般的に行われる様々 な異なるシーケンスで注文、本発明の範囲内での下落が続いている間。 したがって、本発明に与えられる特許保護の範囲が定められた説明ではなく、添付の請求項によって定義することが目的です。
【００３２】
また、ここで使用される各用語が本条項の文脈の使用に基づいて普通の職人が意味するそのような用語を理解できるようにことを指すことに注意してくださいすることが重要です。 このような用語のコンテキストの使用に基づいて普通の職人によって理解されるようにここで使用される用語の意味は、このような用語の任意の特定の辞書の定義から任意の方法で異なる、という程度に普通の職人によって認識された用語の意味が勝利するものです。
【００３３】
次の定義は一般に本発明のパラメーターを定めます。
【００３４】
本明細書で使用するとき、"a"と「、」各は一般的に「少なくとも 1 つ」を示しますがコンテキストの使用は明らかにそれ以外の場合に指示しない限り、複数を除かない。
【００３５】
ここで単数形を使用される「、」「、」「、」コンテキストは明らかにそれ以外の場合に指示しない限り、複数の指示物を含めると。
【００３６】
今、いくつかのビューでコンポーネントのような数字を表すような本発明の好ましい実施形態は説明次に図面を参照して一般的に。 1 つまたは複数の最寄りの embodiment(s) の次の説明は本質的に単なる模範的発明、そのアプリケーションを制限する意図はまったくありませんが、やを使用します。
【００３７】
図 1 では、102 のモバイル デバイスにインストールされている OST アプリケーション (オーバーレイ アプリケーション) の模範的なスケマティック インターフェイス 110 形式である本発明の実施形態を示しています。 モバイル デバイス 102 は、Iphone、Android ベースのスマート フォン、Pda、タブレット、近距離通信デバイス、少なくとも部分的にクラウド サービスを使用して実装のアプリケーションを持つデバイスおよびその他補完と同等のデバイス音声とデータ伝送の個人的なメッセージングを含むことができるに限定されないなどがあります。 それがわかる 110 インターフェイスの構成は模範的なインターフェイス110 が代替および追加機能と審美的な機能を含めることができます。       
【００３８】
110 インターフェイスへの参照をモバイル デバイス 102 関が、110 のインターフェイスがすべてのモバイル デバイスで役に立つこととモバイル デバイス 102 に関して本契約のいずれかの議論が模範的な目的のために作られて、ここで開示されるすべての機能を制限するのに役立つべきであることがわかります。
【００３９】
数字 1、2 a、2 b、3 で示されているように、韓国ドラマ OST アプリケーション (オーバーレイ アプリケーション) を削除して、メッセージが目的の受信者に配信される前に、モバイル デバイス 102 上不要なマルチ メディア メッセージング サービス (MMS) またはショート メッセージ サービス (SMS) メッセージを想起の 1 つの好ましい実施形態が企図されています。 韓国ドラマ OST アプリケーションは、モバイル デバイス 102 の居住者のメッセージング アプリケーション上で実行されると、モバイル デバイスのユーザーによって設定された時間の所定量の受信者に居住者のメッセージング アプリケーションで作成されたメッセージの配信を遅延させることによって動作します。 居住者のメッセージ アプリケーション可能性がありますされるオンボードまたは既定の製造および組立、その後オーバーライドまたは既定の SMS/MMS アプリケーションを交換するユーザーがモバイル デバイスにインストールされている SMS/MMS アプリケーション中のモバイル デバイスにプレインストールされているSMS/MMS アプリケーション (Handcent などchomp、滑川など)、または (WeChat などテキストとメディアのメッセージを送信することができますモバイル デバイス上の他のアプリケーション、アプリ、ライン、Facebook のメッセンジャーは、何 G チャット, Facebook のメッセンジャー, Snapchat など。)。      
【００４０】
図 1、2 a、2 b、3 も 104 102 モバイル デバイスにインストールされている OST アプリケーション (オーバーレイ アプリケーション) を持つユーザーが別の人 106 と通信している仮説的なシナリオを描いています。 韓国ドラマ OST アプリケーションは、韓国ドラマ OST ボタン 108 遅延を示すために使用し、削除またはメッセージを取り消すユーザー 104 で使用される可能性のある機動性を提供します。 操縦可能な OST ボタン 108 は、図 1 (操縦可能な OST ボタン108 の初期位置) に示すように、OST アプリケーションによって延期されているメッセージがないときにモバイル デバイス 102 のベゼルに隣接して表示される起動可能性があります。 104 ユーザーが居住者のメッセージング アプリケーションでメッセージを作成するし、居住者のメッセージング アプリケーションの「送信」ボタンをクリックしてメッセージを送信、メッセージの長さは (韓国ドラマ OST 機動性 108] ボタンの位置を拡張) 図 2 a に示すように、モバイル デバイス 102 の別のドアに向かって操縦可能な OST ボタン 108 を拡張します。 韓国ドラマ OST アプリケーションは、居住者のメッセージング アプリケーションの上に動作するため OST アプリケーション遅延 (または禁止ユーザーが既に居住者のメッセージング アプリケーションの「送信」ボタンを押しているにもかかわらず、104、ユーザーによって設定された時間の所定量のためメッセージの配信。 時間の所定量、中にメッセージは OST アプリケーション上のユーザー 104 によって設定された時間の量のバッファーにキャッシュされます。 あらかじめ決められた時間数は好ましくは 0 から 60 秒の間です。 バッファーには、韓国ドラマ OST アプリケーションまたは韓国ドラマ OST のアプリケーションで使用されているモバイル デバイスのメモリに組み込まれているソフトウェア バッファーは、可能性があります。 など、韓国ドラマ OST アプリケーションの遅延機能しないを含むか、または任意のサーバーまたは通信ネットワーク上のデバイス (ルーターやモデム) などの任意のデータを格納する必要 (Wi-Fi など 802.11 では、Bluetooth、無線周波数システム、VOIP、赤外線、GSM、GSM と CDMA、エッジ quadband プロトコル) メッセージをキャッシュします。 韓国ドラマ OST アプリケーションによって提供される遅延がハードウェアおよびモバイル デバイス102 と OST アプリケーションなどの基本的な機能を実行するためのソフトウェアに関連付けられている時間に限らず固有の遅延でソフトウェアに関連付けられている固有の遅延を超えるする必要時間の所定量を設定したサーバーやデバイス、通信 (またはモバイル デバイス 102 上のみ) とは独立して動作するので、ハードウェア コンポーネント、起動したり、オペレーティング システムをシャット ダウンに必要な時間などのハードウェア コンポーネント間のデータ転送に必要な時間をオフに切り替えるには。
【００４１】
カウンターやタイマー表示メッセージが受信者に配信される前に時間の所定量のどれくらいの時間が残っている韓国ドラマ OST アプリケーションがあります。 カウンターやタイマーが隣接する、または韓国ドラマOST 機動性 108] ボタンから内、表示可能性があります。 カウンターやタイマーも現在の時刻、モバイル デバイスの信号強度、バッテリ レベルがある通知バーに表示可能性があります。 韓国ドラマ OST アプリケーションにメッセージが保留中であることを示すステータス インジケーターがさらに「送信」ボタンを押したします後。 ステータス インジケーターもあります、内、操縦可能な OST ボタン 108 からまたは通知バーに隣接します。 カウンターやタイマーは可能性がありますもメッセージ、メッセージ、または両方、テキストの背景とメッセージの背景のテキスト上のグラデーションとして表示されます。 たとえば、テキスト、背景、またはその両方は、ユーザーは、テキスト、背景、またはその両方を渡ってグラデーションで「送信」ボタンを押した後にオレンジなどの最初色で表示可能性があります。 グラデーション テキスト、背景、またはその両方を横切って移動時間の量は、ユーザーによって設定された時間の所定量と同等です。 図 8 は、両方のテキストと、メッセージの背景全体移動勾配カウンターやタイマー 377 の一実施形態を示しています。 あらかじめ決められた時間数は、韓国ドラマ OST アプリケーションが受信者にメッセージを配信する居住者のメッセージング アプリケーションをできます。 ステータス インジケーターだろうから配信する保留中のメッセージのステータスを変更もできます。 カウンターやタイマー グラデーションの形で簡単に緑などの 2 番目のカラーになるかもしれないし、フェードに 3 番目のカラー、ライトグレー、メッセージが削除またはリコールを超えていることを示すなど。  一実施形態で時間の所定量で送信したメッセージをキャッシュ キャッシュされたメッセージは表示されたままカウンターを持つユーザーに (限られた時間) のための前もって決定された期間中。 所定時間後有効期限が切れるとユーザーを削除または時間の所定の期間中キャッシュされたメッセージをリコールしない場合、キャッシュされたメッセージは受信者に配信されます、配信されたメッセージに移動、後でユーザーが表示するためのカウンターを表示せず、配信キューに格納されます。
【００４２】
遅延または時間の所定量、中に 104 ユーザー可能性があります削除するか、彼または彼女が送信されるメッセージを思い出します。 送信されたメッセージ、ユーザー 104 をスクロール可能性があります削除またはから操縦可能な OST ボタン 108 左に右、または初期位置の拡張位置から図 2 a と 2 b に示すようにスワイプします。 つまり、ユーザー 104 スワイプ操作しやすい韓国ドラマ OST ボタン、送信メッセージを送信したメッセージを削除するのには右上の 108 です。 リコール送信メッセージ、ユーザー 104 さらにスクロールやスワイプ、操縦可能な OST 108 左側にあるボタン (さらに拡張 OST 機動性 108] ボタンの位置)、図 3 に示すように、拡張の位置から。 つまり、ユーザー 104 スワイプ操作しやすい OST ボタン左に送信メッセージを送信したメッセージを取り消すに 108 です。 全体の送信メッセージおよびユーザー 104 再入力する場合最初から別のメッセージ彼または彼女が別のメッセージを送信する場合消去を削除します。リコールは、誤植の訂正および/またはさらにメッセージの内容を消去することがなく、メッセージの編集の送信メッセージの全体を取得します。
【００４３】
ユーザー 104 は、の所定の期間中に操縦可能な OST ボタン 108 を強打することはない、時間の所定量が過ぎると、送信されたメッセージは受信者に配信されます。 
【００４４】
韓国ドラマ OST ボタン 108 は、指または居住者のメッセージング アプリケーションのモバイル デバイスの画面上または保全上の異なる方向で 104 ユーザーの指で移動できるので操作しやすいです。 操縦または右側にある韓国ドラマ OST ボタン 108 をスワイプ メッセージを削除するのに関連付けられて、工作またはスワイプ左にある韓国ドラマ OST] 108 は、上記実施例ではメッセージをリコールに関連付けられて削除してメッセージを想起が他の操縦方法や方向に関連付けられてあります。 他の操縦方法には、タップ、スワイプの数、OST ボタン 108 などに押すと同時に指の数の数が含まれます。 他の操縦の方向には、アップとダウン、特定パターンの方向 (ジグザグ) などが含まれます。 一実施形態で最初の操縦法/方向を実行することにより、メッセージを削除可能性があり、第二操縦法/とは違う方向最初操縦法/方向を実行することによって、メッセージを取り消す可能性があります。
【００４５】
図 4 と図 5 を参照して、OST (オーバーレイ アプリケーション) がさらに「晩鐘」特徴があります。 「晩鐘」機能では、時間中に送信したメッセージを輸出、その後輸出禁止メッセージ送信が配信ユーザー確認禁輸受信者にメッセージ送信を提供する場合にのみ別の所定量を設定することができます。 上記遅延/削除/リコール機能とは異なり「晩鐘」機能自動的に配信しません、メッセージ受信者別の所定量の時間の期限が切れた後。 代わりにそれは常に時間の別の所定量の有効期限が切れた後にメッセージを配信する、彼または彼女が本当に望んでいるかどうかを確認するユーザーを要求します。 時間の別の所定量はできれば時間の所定量よりも長くなります。 たとえば、ユーザー「晩鐘」機能をオンにし、24 時間時間別の所定量を設定します。 ユーザーは、メッセージを作成し、「送信」ボタンを押すことで送信します。 送信されたメッセージがその後輸出または 24 時間 (図 4) の夜間外出禁止令のキューにキャッシュし、OST が自動的にユーザー アプリケーション要求する彼または彼女が彼または彼女は、24 時間前を過ぎると時間の別の所定量 (図 5) にで構成メッセージを配信したいかどうか。 [はい] と答えた場合、メッセージは受信者に配信します。 なしで、ユーザーが応答すると、メッセージは受信者に配信されません。 「晩鐘」機能は、1 つのメッセージ、いくつかのメッセージ、またはユーザーが作成するすべてのメッセージに適用可能性があります。 メッセージの一部またはすべてに適用する「晩鐘」機能を設定すると、ユーザーが禁輸のメッセージの一部またはすべてを確認できる輸出禁止メッセージを配信する必要がありますし、いくつかの時間の別の所定量過ぎたら配信されないようにする必要があります 1 つを決定するまたはすべてのメッセージの期限が切れています。 たとえば、ユーザーが24 時間になる時間の別の所定量を設定ユーザー 9:00 月曜日、10:00 11:00 月曜日と同じで同じ月曜日と第三のメッセージの 2 番目のメッセージでメッセージを送信、ユーザーはすべての 3 つのメッセージを通過し、メッセージの受信者に配信されるように彼または彼女が実際に望んでいるどのを決定できるとき彼または彼女11:00、火曜日に韓国ドラマ OST アプリケーションをチェックします。 10:00 と 10:59 同じ火曜日の OST アプリケーションをチェックすると、ユーザーは最初と 2 番目のメッセージを通過し、それらのメッセージが受信者に配信されるように彼または彼女が実際に望んでいるのかを決定することになります。  韓国ドラマ OST のアプリケーションは、時間の別の所定量の有効期限が切れる前に送信されたメッセージを配信するオプションもあります。 ユーザーは、スワイプやタップ送信メッセージ (図 4) によって時間の所定量の有効期限が切れる前に送信されたメッセージの配信を許可可能性があります。 スワイプやタップ送信したメッセージ確認ウィンドウ 120 (図 5) の輸出禁止のメッセージを送信 (または配信)、彼または彼女が本当に望んでいるかどうかは、ユーザーに要求が表示されます。 ユーザーは、送信メッセージまたは配信禁止時間の別の所定量がアップする前に [はい] と応答可能性があります。 ユーザーも引き続きメッセージを禁止すると応答します。Curfewed または再輸出しないメッセージは、これらの 2 種類のメッセージを区別するために遅延メッセージ オレンジなど上記と異なる色で指定できます。
【００４６】
「晩鐘」機能の別の実施形態でユーザー可能性があります (図 4) 割り当てられた時間が過ぎるまでは、居住者のメッセージング アプリケーションで送信されるすべてメッセージを門限キューに保持中特定時間を設定します。 ユーザーは、特定の時間の間に送信されるメッセージの一部またはすべてを削除するのに提供する選択できます。 たとえば、ユーザー可能性があります、22:00 5:00 までからする特定の時間を設定します。 その期間中に居住者のメッセージング アプリケーションで送信されるすべてのメッセージは、夜間外出禁止令のキューで開催すること。 ユーザーが彼または彼女を提供または 5:00 から始まるを削除したいメッセージを選択することができるだろう 開催のメッセージの送信またはスワイプやタップ確認ウィンドウのプロンプトに開かれたメッセージによって上記のように割り当てられた時間がアップする前に配信されるもことがあります。
【００４７】
「晩鐘」機能は、など 1 つのモバイル デバイスからの GPS 位置情報を使用またはその他のソースを使用してロケーターも好ましくは。 GPS のロケーターは、彼または彼女は、GPS のロケーターを感じるユーザー 104 がバーでなど、どこかで時間の特定の期間よりも長い時間を費やしたときに「晩鐘」機能をオンにしたい場合ユーザー 104 を求める通知を送信する韓国ドラマ OST アプリケーションの警告の機能を持ちます。
【００４８】
「晩鐘」機能の 1 つの実施形態で「晩鐘」機能がカウンターやタイマーも表示されます。 送信したメッセージは、時間の別の所定期間中輸出は、(限られた時間) のための他のあらかじめ決められた期間中カウンターにユーザーに表示される禁輸のメッセージが残っています。 後別の所定の時間が経過すると、ユーザーが送信したメッセージの配信を確認、禁輸のメッセージは受信者に配信され、配信されたメッセージに移動、後でユーザーが表示するためのカウンターを表示せず、配信キューに格納されます。 メッセージのステータスは、ステータス インジケーターがある場合は、配信を保留中からも変更可能性があります。
【００４９】
図 6 を参照し、モバイル デバイス202 (または 102 図 1-5) の一実施形態を示しています。 好ましい実施形態では、モバイル デバイスの 202 には 280 通信回路、制御回路 260、入力/出力 (I/O) 回路 240 220 バッファー表示 210 が装備されています。 芸術の熟練者歓迎、モバイル デバイス 202 がない結合または、この図のように含まれるその他のコンポーネントを含めることができます、入力機構等、電源装置など。
【００５０】
表示 210 表示と、ユーザーに表示される表示を提供するための表示回路が含まれています。
【００５１】
たとえば、表示回路は、画面、202 のモバイル デバイスに組み込まれている液晶画面などを含めることができます。 いくつかの実施形態でディスプレイ回路はコーダ/デコーダー (コーデック) アナログ信号に逆のデジタル データに変換を含めることができます。 たとえば、表示回路またはモバイル デバイス 202 内その他の適切な回路は、トランザクション注文とトランザクションの実行時間またはコーデックの他の適切な種類の処理に必要なコーデックを含めることができます。
【００５２】
たとえば、バッファー 220 でハード ドライブ、ソリッドステート ドライブ、フラッシュ メモリ、ROM、磁気、光などの永続的なメモリを含む有形コンピューター記憶のデバイスを 1 つまたは複数含めることができます半導体、ストレージ ・ コンポーネントの他の適切なタイプまたはその任意の組み合わせ。 バッファーは格納または遅延と禁輸のメッセージ、アプリケーションとモバイル デバイスの無線接続を確立する 202 を有効にすることができますモバイル デバイス 220、ワイヤレス接続データの関数を実装するためのアプリケーション データとその他の適切なデータまたは任意の組み合わせをキャッシュできます。 本発明の機能を実現するための指示が、非限定的として非一時的なソフトウェアおよび/または 220 コンピューター読み取り可能なメディアに格納されているスクリプトの例を構成します。 バッファー 220 は、半恒久的なメモリ RAM、および/またはデータを一時的に格納するために使用するメモリの 1 つ以上の型などもあります。 いくつかの実施形態でバッファー 220 は、モバイル デバイスのアプリケーションを操作するデータの格納にも使用できます。 またはモバイル デバイス 220 などの他のコンポーネントからその他のデータ表示 210、入力/出力回路 240、280 260、回路や通信回路を制御します。
【００５３】
I/O 回路 240 は、エンコード/デコード、アナログ信号と他の信号をデジタル データに変換して手術することができます。 いくつかの実施形態において、I/O 回路 240 が別の種類の信号、およびその逆にデジタル データを変換することもできます。 たとえば、I/O 回路 330 を受信でき、マルチタッチ スクリーン表示マウスまたはセンサー、マイクからのアナログ オーディオ信号から 210、物理的な動きなどから物理的な接触入力を変換または他の入力します。 デジタル データを提供することができます、バッファー、220 から受信した制御回路のモバイル デバイス 202 の 260、または任意の他のコンポーネント。 I/O 回路 240、202 モバイル デバイスの1 つのコンポーネントとして、この図に示されている、モバイル デバイス 202 の I/O 回路 240 の複数のインスタンスを含めることできます。 202 のモバイル デバイスは、適切なインタ フェースまたは I/O 回路 240 への入力を提供するためにユーザーを許可するためのコンポーネントを含めることができます。 たとえば、モバイル デバイス 202 は、タッチ スクリーンなど表示 210、ボタン、キーパッド、ダイヤル、クリック ホイール、等を含めることができます。
【００５４】
制御回路 260 には、操作と202 のモバイルのデバイスのパフォーマンスを制御するには、処理回路やプロセッサ手術を含めることができます。 たとえば、制御回路 260 は、オペレーティング システムのアプリケーション、ファームウェア アプリケーション、またはその他のモバイル デバイス、通信サーバー、ルーター、またはモデムとの通信に使用されるその他のアプリケーションを実行する使用できます。 制御回路 260 は、210 の表示と表示 210 それがタッチ スクリーンの場合など、ユーザー インターフェイスから受信したプロセスの入力を促進できます。
【００５５】
通信回路 280 は、情報通信ネットワークと通信などを送信するその他のモバイル デバイス、サーバー、ルーター、モデム、またはコンピューターにモバイル デバイスからのデータを接続する任意の適当な通信回路の手術を含めることができます。 通信回路 280 は、Wi-Fi などの適当な通信プロトコルを使用して通信ネットワーク インターフェイスに手術することができます 802.11, ブルートゥース, 900 MHz、1.4 GHz と 5.6 ghz 帯通信システム、赤外線などの無線周波数システム、GSM、GSM プラス端、CDMA、quadband と他の携帯電話のプロトコル、VOIP、またはその他の適切なプロトコル。 通信ネットワークは、光ファイバーやケーブルなどのワイヤを使用してによって確立されるかもしれません。 モバイル デバイスでは、通信回路 280 通信回路 280 の 1 つだけのインスタンスが図面を overcomplicating を避けるために図 6 に示されていますが、同時に別の通信ネットワークを使用していくつかの通信操作を実行するための 1 つまたは複数のインスタンスを含めることができます。 たとえば、モバイル デバイス101 は、携帯電話ネットワーク、通信回路 280 Wi-Fi 経由の通信または Bluetooth を使用するための 2 番目のインスタンスと通信回路 280 光ファイバー上での通信のための 3 番目のインスタンスとの通信用の通信回路 280 の最初のインスタンスを含めることができます。 いくつかの実施形態で通信回路280 の同じインスタンスをいくつかの通信ネットワークで通信を提供する手術することができます。
【００５６】
図 7A-7 G には、韓国ドラマOST のアプリケーション統合と異なるチャット プラットフォームからの連絡先と通信の一実施形態が描かれています。 図 7 a を参照し、OST アプリケーションを OST アプリケーションのインストール後に初めての韓国ドラマ OST アプリケーションが開始されると、モバイル デバイスの電話番号を確認することにより起動可能性があります。 確認後、OST アプリケーション検出チャットのすべてのプラットフォームを行いモバイル デバイスにインストールされている、モバイル デバイスのユーザーが彼または彼女の望んでいる OST のアプリケーションに関連するまたは韓国ドラマ OST アプリケーションでオーバーレイして図 7 b に示すように、チャット プラットフォームを選択します。 図 7 に示すように、肯定メッセージと選択を断言 OST アプリケーションを選択した後
図 7 を参照して、300 OST アプリケーションのインターフェイスが表示されます。 300 インターフェイスは、統合された付き合い 385、ユーザー、連絡先、390 と OST アプリケーション395 の設定間の会話を表示する最初のウィンドウ 305 があります。 図 7 は、ユーザーが選択した、アプリ、Facebook のメッセンジャーから連絡先 315 および既定の SMS/MMS アプリケーション (統合連絡先ビュー) から 320 の連絡先から連絡先 310 などチャット プラットフォームから収集した 305 385 のすべての統合された連絡先を表示する最初のウィンドウを示しています。 305 の最初のウィンドウ可能性がありますマークまだ (未読メ ッ セージ) のユーザーによって読み取られるメッセージを送信した連絡先 325 で自分の名前の横にあるオレンジ色のドットなど 330、インジケーター。 300 インターフェイスは 355 に集まったすべての連絡先の間で連絡先を検索、韓国ドラマ OST アプリケーション 360 に追加の連絡先を追加する 2 番目のウィンドウ 350 にもあります。 300 インターフェイスは、統合された付き合い 385 ("contacts") の表示、ユーザーおよび連絡先390 (「会話」) の間の会話のビューと 305 の最初のウィンドウの韓国ドラマ OST アプリケーション 395 (「設定」) の設定の表示のビューを切り替えるための 3 番目のウィンドウ 380 さらにあります。 図 7 e を示しますユーザーが「会話」390 と最初ウィンドウ 305 が表示されますすべてのユーザーおよび連絡先 (会話ビュー) の間の会話。 図 7 階は、さらに視野の特定の会話 330 からすべて表示される会話を選択した後、ユーザーと連絡先の特定の会話 330 のコンテンツを示します。 図 7 に示す 395「設定」を選択すると、305 最初ウィンドウ アプリケーションが表示されます、チャット プラットフォーム335 OST アプリケーション、猶予期間または時間 340 の所定量に接続されているが、ユーザーが設定や夜間外出禁止令機能 345 オンまたはオフにユーザー (設定を参照)。
【００５７】
図 7A-7 G と対応する説明を基に、韓国ドラマ OST アプリケーションのユーザーが OST アプリケーションと別チャット モバイル デバイス プラットフォームの一部またはすべての彼または彼女の連絡先と会話できます。 OST アプリケーションを介してこれらのチャットのプラットフォームに署名することによって (またはそれらのチャットのプラットフォームのアプリケーション プログラム インターフェイス、Api、OST のアプリケーションを接続することによって)、韓国ドラマ OST アプリケーションは異なるチャット プラットフォームの一部またはすべてのユーザーのアカウントを統合できます。 ユーザーは、チャットのプラットフォームから連絡先からのメッセージを受信したユーザーは、OST アプリケーションにメッセージを送信することによってそのメッセージに返信できます。 延期、削除、またはリコールに応じて OST アプリケーション経由で輸出可能性があります送信したメッセージ。 連絡先は、連絡先がユーザーにメッセージを送信するから同じチャット プラットフォームで応答メッセージを受け取ります。 など、一実施形態で OST アプリケーションがメッセージングのすべての通信のワンストップ先として機能し、ユーザーはすべてのすべての 1 つの場所から別のチャット プラットフォームから彼または彼女の連絡先と会話できます。
【００５８】
上図のように、システム及び方法が特に適していると (電話網経由で SMS/MMS のメッセージ) をメッセージ本文に適用。 韓国ドラマ OST アプリケーション可能性がありますまた他グループ メッセージング、チャット、インスタント メッセージングの互換性および通信アプリケーションとプラットフォームからの連絡先を統合します。 これらのアプリケーションおよびプラットフォームを含めるが、ムシャムシャ食べる Handcent に限定されない、滑川、WeChat、アプリ、ライン、Facebook のメッセンジャーは何です G チャット、Facebook のメッセンジャー、Snapchat など。 韓国ドラマ OST アプリケーションは居住者のメッセージング アプリケーションで送信されるすべてのメッセージを処理し、任意のサーバーまたは通信ネットワーク上のデバイスに頼ることがなく遅延を作成します。 作成された遅延は、OST アプリケーションおよび/または韓国ドラマ OST アプリケーションがインストールされているモバイル デバイスによってのみ提供されます。
【００５９】
本発明を説明されておりここに例示が好ましい実施の形態呼ばれる、他の実施形態が同様の機能を実行またはような結果を達成することができる芸術の一般的な技量の人に明らかにされます。 こうしてさまざまな機能および開示の実施例の開示の側面することができます、結合または開示された発明のさまざまなモードを形成するために互いの代わりに、理解する必要があります。 
【００６０】
そう定義しない限り、この発明が属する技術分野で一般的スキル普通の人が理解と同じ意味があるここで使用されるすべての科学的及び技術的な用語。 したがって数字ではなく、添付の請求項とそれに対応する法的、本発明の実施形態の範囲を特定する必要があります。
【図１】
2017513104.tif 000003
【図２Ａ】
2017513104.tif 000004
【図２Ｂ】
2017513104.tif 000005
【図３】
2017513104.tif 000006
【図４】
2017513104.tif 000007
【図５】
2017513104.tif 000008
【図６】
2017513104.tif 000009
【図７Ａ】
2017513104.tif 000010
【図７Ｂ】
2017513104.tif 000011
【図７Ｃ】
2017513104.tif 000012
【図７Ｄ】
2017513104.tif 000013
【図７Ｅ】
2017513104.tif 000014
【図７Ｆ】
2017513104.tif 000015
【図７Ｇ】
2017513104.tif 000016
【図８】
2017513104.tif 000017
【国際調査報告】
2017513104.tif 000018